(57)【要約】      （修正有）【課題】カウンター、机、テーブル、その他の任意の場所に設置し、必要な熱量を発生させることができる電気発熱ボードの提供。【解決手段】ポリエステルフィルム１上へ、炭素粉塗料による発熱層２，２を所定の幅と長さに塗布し発熱層２，２と間隔をおいて、銀塗料により基導電条３ａ、３ｂ、３ｃ、３ｄ、３ｅを平行に塗布する。基導電条に直角に、枝導電条４ａ、４ｂを発熱層上へ夫々塗布して、その一端を、基導電条へ夫々接続して配線を確定し、基導電条の一端は、夫々銀箔よりなる集電条５ａ，５ｂに接続し、集電条は夫々リード線６ａ、６ｂに接続し、リード線はテープコード７（絶縁テープに埋設）として、接続器（プラグなど）に接続してある。発熱層と、基導電条３ａ，３ｂ及び枝導電条４ａ，４ｂの上部へ、ポリエステルフィルム１ａを被着し、一体化して電気シート１０を構成する。【選択図】図１
0003120291.tif 000002
【実用新案登録請求の範囲】
【請求項１】
遠赤外線を輻射する電気発熱シートを、断熱ボードと、伝熱ボードで挟着固定したことを特徴とする電気発熱ボード。
【請求項２】
絶縁フィルム上に遠赤外線を輻射する発熱層と、この発熱層に通電する導電条とにより電気発熱層を設け、該電気発熱層の上部に絶縁フィルムを被着して電気発熱シートを構成し、該電気発熱シートの一側に断熱ボードを層着し、その外側へ接着層を層着し、前記発熱シートの他側へ伝熱性のある表装材を層着したことを特徴とする電気発熱ボード。
【請求項３】
絶縁フィルム上に遠赤外線を輻射する発熱層と、この発熱層に通電する導電条とにより電気発熱層を設け、該電気発熱層の上部に絶縁フィルムを被着して電気発熱シートを構成し、該電気発熱シートの一側に断熱ボードを層着し、その外側へ接着層と剥離層とを順次層着し、前記電気発熱シートの他側へ薄木板及び表装材を順次層着したことを特徴とする電気発熱ボード。
【請求項４】
請求項１、２、３の何れか１つよりなる電気発熱ボードの複数枚を回動自在に連結し、又は前記発熱ボードの下部に自立手段を付設したことを特徴とする自立発熱ボード。
【請求項５】
自立手段は、台、支脚又は接着層としたことを特徴とする請求項４記載の自立発熱ボード。
【請求項６】
請求項１、２、３の何れか１つよりなる電気発熱ボードをカウンタテーブルの下側に固定したことを特徴とする加温付カウンタ。
【請求項７】
請求項１、２、３の何れか１つよりなる電気発熱ボードを、机、ソファー、テーブルなどの家具の使用者と対向する位置に固定したことを特徴とする加温付家具。
【請求項８】
請求項１、２、３の何れか１つよりなる電気発熱ボードを、箱又は容器の側壁或いは部屋の壁の背もたれ高さに設置したことを特徴とする加温付壁。
【考案の詳細な説明】
【技術分野】
【０００１】
この考案は、主として家屋又は家具類を部分的に加温することを目的とした発熱ボード、加温付カウンタ、加温付家具又は加温付壁に関するものである。
【背景技術】
【０００２】
従来電気発熱シートは、床パネル、暖房床、暖房畳などについて提案され、床パネルについては実用の域に達している。
【０００３】
前記電気発熱シートは、絶縁フィルムへ、カーボン粉を主材とするカーボン塗料を塗布又は印刷した通電発熱シートへ、導電条を設けたもので、遠赤外線の発生、発生熱の自動制限などの利点があって、今後益々採用される傾向にあった。
【特許文献１】特開２００３−２４３１３４
【特許文献２】特開２００４−３１１１７８
【特許文献３】実開昭６０−１７７４８２
【考案の開示】
【考案が解決しようとする課題】
【０００４】
前記従来の床暖房は、発熱シートが薄い為に、従来の床材の性質、寸法はそのままで床暖房を用いることができる利点があったので、使途は専ら床暖房に限られ、用途が限定されていた。
【０００５】
また前記実施の多くは、新設床暖房に限定され、既設の床に床暖房として用いる発想がなく、かつテーブル又はカウンタなどの部分暖房については考慮されていないなどの問題点があった。
【０００６】
次に床暖房の方式においては、室内空間の利用（例えば電気ストーブ又は石油ストーブのように室内設置）については、使用できる形態がないこともあって、使用すらも試みられなかった。
【課題を解決するための手段】
【０００７】
この発明は、電気発熱シートを一物品として発熱ボードのように独立させると共に、新設、既設を問わず、単独使用を可能にして、前記従来の問題点を解決したのである。
【０００８】
先ず電気発熱シートを、発熱ボードとして自由に採用し得るボードの製造から始め、ついでこのボードを新設又は既設の何れかに拘らず使用し得るようにして、その汎用性を高め、採用の幅を大幅に拡大したのである。
【０００９】
即ちこの考案は、遠赤外線を輻射する電気発熱シートを、断熱ボードと、伝熱ボードで挟着固定したことを特徴とする電気発熱ボードであり、絶縁フィルム上に遠赤外線を輻射する発熱層と、この発熱層に通電する導電条とにより電気発熱層を設け、該電気発熱層の上部に絶縁フィルムを被着して電気発熱シートを構成し、該電気発熱シートの一側に断熱ボードを層着し、その外側へ接着層を層着し、前記発熱シートの他側へ伝熱性のある表装材を層着したことを特徴とする電気発熱ボードである。
【００１０】
また、絶縁フィルム上に遠赤外線を輻射する発熱層と、この発熱層に通電する導電条とにより電気発熱層を設け、該電気発熱層の上部に絶縁フィルムを被着して電気発熱シートを構成し、該電気発熱シートの一側に断熱ボードを層着し、その外側へ接着層と剥離層とを順次層着し、前記電気発熱シートの他側へ薄木板（例えばベニヤ板）及び表装材を順次層着したことを特徴とする電気発熱ボードであり、請求項１、２、３の何れか１つよりなる電気発熱ボードの複数枚を回動自在に連結し、又は前記発熱ボードの下部に自立手段を付設したことを特徴とする自立発熱ボードであり、自立手段は、台、支脚又は接着層としたものである。
【００１１】
次に他の発明は、請求項１、２、３の何れか１つよりなる電気発熱ボードをカウンタテーブルの下側に固定したことを特徴とする加温付カウンタであり、請求項１、２、３の何れか１つよりなる電気発熱ボードを、机、ソファー、テーブルなどの家具の使用者と対向する位置に固定したことを特徴とする加温付家具であり、請求項１、２、３の何れか１つよりなる電気発熱ボードを、箱又は容器の側壁或いは部屋の壁の背もたれ高さに設置したことを特徴とする加温付壁である。
【００１２】
前記により明らかなように、電気発熱シートを床暖房以外に使用すべく、その具体的構造を新規かつ有用に改善すると共に、使用勝手を良好にし、新設工事には組み込み、既設の場所には素人でも手軽に採用し得るようにし（例えば貼着のみでよい）、前記従来の床暖房用発熱シートに改良を加えて使用面からの実用性を向上したのである。
【００１３】
前記においては、主として家屋、家具などへの応用について説明したが、電気発熱ボードは、大小様々の形状、寸法があるので、発熱を要する場所には何所でも、何でも応用することができる。例えば、ペット（犬、猫、ハムスターその他の動物）、実験動物及び植物の恒温室又は恒温箱など比較的狭い場所などの自動調温付発熱ボードとして使用することができる。
【考案の効果】
【００１４】
この考案は、電気発熱ボードとしたので、カウンタ、机、テーブルその他の任意の場所に設置し、必要な熱量を発生させることができる効果がある。また熱量を限定して独立使用（例えばスタンド型）できるので、狭い場所の限定空間（例えば机の下）でも安心して使用できると共に、容易に移動できる効果がある。
【００１５】
次に前記電気発熱ボードを用いたカウンタ、テーブルその他においては、従来暖房から取残された空間（例えばカウンタのテーブルトップの下方空間）でも限定的に加温し、カウンタ等の使用者（客又はサービス者或いは両者）の脚部及び腹部を加温して気持ちをリラックスさせたり、良い心地を付与するなどの諸効果がある。
【考案を実施するための最良の形態】
【００１６】
この考案は、電気絶縁の合成樹脂フィルムの上に、遠赤外線を輻射する炭素粉塗料（又は印刷）すると共に、適宜配線となる導電条を設けて、電気発熱層とし、該電気発熱層の上に電気絶縁の合成樹脂フィルムを被着し、一体化して電気発熱シートを構成し、この電気発熱シートの一側に断熱ボードを層着し、他側にベニヤ板と、表装板を順次層着して電気発熱ボードを完成した。
【００１７】
前記電気発熱ボードをカウンタの腰板に固定すれば加温付カウンタができる。また、テーブルの下方適所に固定すれば、加温付テーブルができる。
【００１８】
前記電気発熱ボードに自立性を付与すれば、移動可能で、部屋内の適所に設置できる自立発熱ボードとすることができる。また吊下手段を付与すれば、発熱壁掛けなど、室内装飾兼用にもなり得るなど用途の広範な各種加温具とすることができる。
【００１９】
前記電気発熱シートを構成する炭素粉塗料は、マトリックス高分子粒子層が低温になると縮まり、半導体炭素粉が接触して電気抵抗が弱まり、通電量が多くなって発熱量も多くなり、温度が上昇する。然し乍ら温度が高くなると、マトリックス高分子粒子層が離れて電気抵抗が高くなり、通電しなくなるので、結局炭素粉の密度（マトリックスの状態）により、温度の自動調節ができる。従って、前記マトリックス状態を選択することにより、例えば４０℃〜９０℃の何れかの温度域を選定した電気発熱ボードを作成することができる。また炭素粉の加熱により遠赤外線の放射と、陰イオンの発生が見込まれるので、暖房効率を著しく向上し得ると共に、環境改善に寄与することができる。
【００２０】
一般に電気器具には、安全装置として、過電流阻止の安全器具が介装されているけれども、前記器具が所定の機能を発揮しない為に不慮の危害を生じるおそれが皆無ではないが、この考案の電気発熱ボードは、熱源が自動制御され、設定以上の温度にならないので、前記不慮の危害は皆無となる。
【００２１】
前記における断熱ボードは、発泡合成樹脂板であるが、従来建設に使用される各種断熱板はそのまま使用することができる。また化粧板については、木材、合成樹脂材、石材その他現に使用されている物はそのまま使用することができる。
【実施例１】
【００２２】
この考案の実施例を図１、２について説明すると、ポリエステルフィルム１上へ、炭素粉塗料による発熱層２、２を所定の幅と長さに塗布（印刷）すると共に、前記発熱層２、２と間隙をおいて、銀塗料により基導電条３ａ、３ｂ、３ｃ、３ｄ、３ｅを平行に塗布する。前記基導電条３ａ、３ｂ、３ｃ、３ｄ、３ｅに直角に、枝導電条４ａ、４ｂを前記発熱層上へ夫々塗布して、その一端を、前記基導電条３ａ、３ｂ、３ｃ、３ｄ、３ｅへ夫々接続して配線を確定し、前記基導電条３ａ、３ｂ、３ｃ、３ｄ、３ｅの一端は、夫々銀箔よりなる集電条５ａ、５ｂに接続し、該集電条５ａ、５ｂは夫々リード線６ａ、６ｂに接続し、リード線６ａ、６ｂはテープコード７（絶縁テープに埋設）として、接続器（プラグなど）に接続してある。前記発熱層２、２と、基導電条３ａ、３ｂ及び枝導電条４ａ、４ｂの上部へ、ポリエステルフィルム１ａを被着し、一体化して電気発熱シート１０を構成する（図１）。
【００２３】
前記電気発熱シート１０の一側へ発泡ポリエステル板８を層着し、その外側へ貼着剤層９を層着する。また、電気発熱シート１０の他側へ、ベニヤ板１１と、化粧板１２とを順次層着し、一体化してこの考案の電気発熱ボード１５を得た（図２）。前記電気発熱ボード１５は、使用板材の厚さによって、５ｍｍ〜１０ｍｍ位の厚さにするが、厚さに限定されるものではない。またベニヤ板１１と、化粧板１２とは、表装材として一枚とすることができる。前記における発泡ポリエステル板８は断熱ボードである。図中１３は剥離紙である。
【００２４】
前記実施例において、テープコード７のリード線６ａ、６ｂから集電条としての銀箔５を介して、基導電条３ａに送電すると、矢示１４、１６、１７、１８のように、枝導電条４ａ、発熱層２、枝導電条４ａ、基導電条３ｂを経て、銀箔５ｂよりリード線６ｂに至り回路を完結する。従って、炭素粉塗料を、上限温度６０℃とするように定めれば、この考案の電気発熱シート１０は６０℃を上限として加温される。従って、電気発熱シート１０の上限温度を６０℃に定めておけば、電気発熱ボード１５も上限温度６０℃となり、不慮の通電が生じようとしても抵抗層により電流を自動遮断できる為に、火災その他の過熱事故を生じるおそれはない。
【００２５】
前記電気発熱ボード１５は、電気発熱シート１０の一側に発泡ポリエステル板８（断熱ボード）を層着したので、発熱シート１０で発生した熱は、矢示１９の方向へ伝播する。従って、発熱量は全部有効に使用される。
【実施例２】
【００２６】
この発明の実施例を図３について説明すると、カウンタのトップ板２１を支えている腰板２４ａの前面へ、この考案の電気発熱ボード１５の剥離紙１３を剥して貼着固定すれば、この考案の加温付カウンタ２０ができる。図中２２は床、２３はコード、２４ｂはカウンタ本体である（図３）。
【００２７】
この実施例において、電気発熱ボード１５のスイッチを入れると、発熱層の発熱により、加温空気は矢示２５、２６のように上昇し、一部は２７のように下降して、腰掛けている人の前面及び脚部を加温するので、温度環境を向上させる効果が期待できる。然して電気発熱ボード１５の温度上限を５０℃に設定すれば、空気はほぼ４０℃前後に加温される。前記実施例において、客の反対側にも電気発熱ボード１５ａをつければ、カウンタの前後両方を加温することができる。
【００２８】
次に他の実施例（工事を要する例）を図４に基づいて説明すれば、トップ板２１の腰板２４ａに電気発熱シート１０を貼着し、その前部にベニヤ板２８と、外装板２９を順次固定し、この考案の加温付カウンタ３０としたものである。図中３１は本体、２３はコード、３２はスイッチ、３３は足置バーである。
【００２９】
前記実施例は、カウンタ新設時に工事して電気発熱シート１０を内蔵させたものであって、加温効果は同一である。
【００３０】
この考案において、腰板２４ａは断熱材として使用しているが、断熱材でない場合には断熱層を介装する必要がある。また電気発熱シート１０で発生した熱は、ベニヤ板２８及び化粧板２０を経て外界に出るので、トップ板２１の下部の空気は、前記実施例と同様に矢示２５、２６、２７のように流動し、人体を加温する。この実施例においても本体３１側に電気発熱シート１０を設置して加温することもできる。
【実施例３】
【００３１】
この考案の実施例を図５について説明すると、電気発熱ボード１５の３枚（１５ａ、１５ｂ、１５ｃ）を、蝶板３４ａ、３４ｂで回転自在に蝶着して、電気発熱びょうぶ３５を構成し、この電気発熱びょうぶ３５を机３６の下部に設置したもので、図中３７はコードである。前記電気発熱びょうぶ３５は、蝶板３４ａ、３４ｂで回転し、適度の角度をつければ、図５（ｂ）のように自立させることができる。前記電気発熱びょうぶ３５は折畳できるので、横幅は長短自在に調節することができる。
【００３２】
前記実施例は、既製の机３６の下部適所に配置すれば、机３６に向かっている人体を適度に加温することができる。
【００３３】
次に他の実施例を図６（ａ）について説明すると、腰掛け３８の背部の、人体３９の背が対向する位置の壁４０に、この考案の電気発熱ボード１５を埋設したものである。このようにすれば、腰掛けている人の背部を適度に加温することができる。
【００３４】
次に図６（ｂ）について説明すれば、ソファー４１の背部４１ａに電気発熱ボード１５を埋設したものである。この実施例においても、ソファー４１に掛けることにより、背中を加温することができる。また図６（ｃ）について説明すれば、電気発熱ボードの化粧板４２に絵画４３を描き、額縁４５に紐４６を付ければ、壁掛け兼用の暖房器４４とすることができる。この場合には、絵画４３がなくても、壁掛け暖房器４４として使用することができる。
【実施例４】
【００３５】
この考案の他の実施例を図７について説明すれば、（ａ）は電気発熱ボード１５の下部板４７に接着剤層４７ａを設け、床などへ自立させる接着型発熱ボード４８である。
【００３６】
また図７（ｂ）のように電気発熱ボード１５の下部に台盤４９を固定すれば、スタンド型発熱ボード５０となる。更に（ｃ）のように電気発熱ボード１５の下部に、脚杆５１、５１を固定すれば、脚付発熱ボード５２ができる。
【００３７】
前記実施例図７（ａ）、（ｂ）、（ｃ）は何れも自立型であるから、部屋内で移動容易であり、設置場所を特定する必要がないので、適宜移動して設置することができる。
【図面の簡単な説明】
【００３８】
【図１】（ａ）この考案の実施例の一部を省略し、一部を破切した平面図、（ｂ）同じく一部断面拡大図、（ｃ）同じく一部横断拡大図。
【図２】（ａ）同じく発熱ボードの一部を省略し、一部を破切した平面図、（ｂ）同じく一部断面拡大図。
【図３】（ａ）同じくこの考案の発熱ボードをカウンタに使用した場合の正面図、（ｂ）同じく側面図。
【図４】（ａ）同じく他の実施例の正面図、（ｂ）同じく縦断拡大側面図。
【図５】（ａ）同じく他の実施例の机下へ設置した正面図、（ｂ）同じくびょうぶ型発熱ボードの拡大斜視図。
【図６】（ａ）同じく壁に用いた実施例の一部断面拡大図、（ｂ）同じく他の実施例の斜視図、（ｃ）同じく壁掛型実施例の正面図。
【図７】（ａ）同じく自立型実施例の斜視図、（ｂ）同じく台盤付実施例の斜視図、（ｃ）同じく脚杆付実施例の斜視図。
【符号の説明】
【００３９】
１  ポリエステルフィルム
２  発熱層
３ａ、３ｂ、３ｃ、３ｄ、３ｅ  基導電条
４ａ、４ｂ  枝導電条
５  集電条
６ａ、６ｂ  リード線
７  テープコード
８  発泡ポリエステル板
９  貼着剤層
１０  電気発熱シート
１１  ベニヤ板
１２  化粧板
１３  剥離紙
１４  銀箔
１５  電気発熱ボード
２０、３０  加温付カウンタ
２１  トップ板
２２  床
２３  コード
２４  カウンタ本体
３５  電気発熱びょうぶ
４８  接着型発熱ボード
５０  スタンド型発熱ボード
５２  脚付発熱ボード
【図１】
0003120291.tif 000003
【図２】
0003120291.tif 000004
【図３】
0003120291.tif 000005
【図４】
0003120291.tif 000006
【図５】
0003120291.tif 000007
【図６】
0003120291.tif 000008
【図７】
0003120291.tif 000009